(57)【要約】【課題】  圧送便器の設置，移動と配管施工を容易にし、配管スペースを低減する事にある。また、前記排出管継手が該圧送排水便器の側方に突出せず、容易に取り外せない構造として安全性を高める。【解決手段】  排泄される汚物を受けるボウルを有し、前記ボウルに洗浄水を噴出する吐出口を設けた大便器と、前記ボウルからの排水を加圧して排出する圧送手段と、前記圧送手段から排出される排水を送通する排出管と、前記排出管と外部の排水管とを接続する排出管継手と、を備え、床上に設置される圧送便器において、加圧手段に連通する排出管継手を圧送便器の下部で設置床面の上方に望ませて固定し、略水平な任意の方向に回動する構造とした。【選択図】  図１
2004308404.tif 000002
【特許請求の範囲】
【請求項１】
排泄される汚物を受けるボウルを有し、前記ボウルに洗浄水を噴出する吐出口を設けた大便器と、
前記ボウルからの排水を加圧して排出する圧送手段と、
前記圧送手段から排出される排水を送通する排出管と、
前記排出管と外部の排水管とを接続する排出管継手と、
を備え、床上に設置される圧送便器であって、  
前記排出管継手は、該圧送便器の下部で設置床面の上方に望ませて固定され、略水平な任意の方向に回動する構造である事を特徴とする圧送便器。
【請求項２】
前記圧送便器は、
前記洗浄水噴出手段と接続し、洗浄水を供給する供給管と、
該供給管と外部の給水管とを接続する供給管継手と、を備えてなり、
前記排出管継手と前記供給管継手とを異なる面上に固定した事を特徴とする請求項１記載の圧送便器。
【請求項３】
前記圧送便器は、
設置床面との間にパン状の底板を有し、
前記排出管継手が前記底板を貫通して固定された事を特徴とする請求項１または２に記載の圧送便器。
【発明の詳細な説明】
【技術分野】
【０００１】
本発明は、大便器の排水を排出する圧送便器に関する。
【背景技術】
【０００２】
従来、大便器の排水を加圧して下水管に排出する排水圧送装置を備えた大便器は、その排水圧送装置の特性である圧力排水能力を活かし、接続する排水管を２０〜３０ｍｍ程度に小口径化し、可撓性に優れた管材を使用できるメリットを有する。したがって、排水圧送装置と接続することで、その設置や撤去の際の作業性に優れ、設置場所を選ばない、移動可能な大便器を実現できる。  
このような排水圧送装置を備えた圧送便器としては、水洗式大便器と排水圧送装置等を外周ボックスに収めた介護用便器が知られている。この圧送排水式大便器は、前記外周ボックスの内側で給，排水管を床下に貫通させて配管したもので、スッキリした状態に配管施工して躓き等が生じないように構成することを目的としている。これは、外部の配管と前記外周ボックス内部で接続され、設置床面の直接真下の部分を貫通して床下を水平方向に配管される。（例えば、特許文献１参照）
また、内部の配管を前記外周ボックスの背面から取出し、設置空間内に配管される外部配管と接続する構造とし、床上の移動を可能にした構成のものがある。これは、設置空間に水平配管を敷設し、接続する構成となっている。（例えば、特許文献２参照）
【特許文献１】特開２００１−１６１５９６号公報（第４頁、第３図）
【特許文献２】特開平１０−３７２７５号公報（第４頁、第１図）
【発明の開示】
【発明が解決しようとする課題】
【０００３】
特許文献１にある介護用便器は、排水圧送装置と連通する排水管が、前記外周ボックスの内部にて設置床面を床下に貫通するように敷設され、該貫通部分で接続、固定された構造であるので、配管を接続した状態での一旦設置した場所からの移動は不可能である。また、設置空間の壁や天井を配管して便器本体と乖離した箇所で配管を貫通する必要がある場合にも対処できない。介護用に設置された居室空間においては、介護用便器と合わせてベッド，車椅子，補行器，手摺等の使用が大方想定されるが、こうした狭小化した空間にて移動性が排除された介護用便器は使い勝手，清掃性を著しく損ねる。
また、特許文献２にあるトイレ装置は、排水圧送装置に連通する排水管が前記外周ボックスの背面から取出され、設置空間内を敷設されるので、設置空間内の移動は可能である。しかしながら、該トイレ装置の移動は、背面から延設された配管によって水平方向の回転を拘束されつつ行う事になる。また、該トイレ装置を設置，配管敷設する工程において、配管方向は該装置の背面に限定されるので、横方向や前方への引き回しは、背面に取り回し空間を設けて施工することになる。例えば、口径２０ｍｍの架橋ポリエチレン製管を使用した場合、無理なく施工するためには、該装置背面の配管取出し部分を中心として半径１２０ｃｍ程度の設置領域が必要、或いは、エルボ継手など余分な接続部材が別途必要となる。また、該トイレ装置背面に配管接続部が露出した構造であり、使用者が容易に露見でき、不意に接続を解除する場合も考えられるので危険である。
【０００４】
本発明は、上記課題を解決するためになされたもので、本発明の目的は、圧送便器の設置，移動と配管施工を容易にし、配管スペースを低減する事にある。また、前記排出管継手が該圧送便器の側方に突出せず、容易に取り外せない構造として安全性を高める。
【課題を解決するための手段】
【０００５】
請求項１に係る発明では、排泄される汚物を受けるボウルを有し、前記ボウルに洗浄水を噴出する吐出口を設けた大便器と、前記ボウルからの排水を加圧して排出する圧送手段と、前記圧送手段から排出される排水を送通する排出管と、前記排出管と外部の排水管とを接続する排出管継手と、を備え、床上に設置される圧送便器であって、前記排出管継手は、該圧送便器の下部で設置床面の上方に望ませて固定され、略水平な任意の方向に回動する構造である事を特徴とする。
【０００６】
請求項２に係る発明では、前記圧送便器は、前記洗浄水噴出手段と接続し、洗浄水を供給する供給管と、該供給管と外部の給水管とを接続する供給管継手と、を備えてなり、前記排出管継手と前記供給管継手とを異なる面上に固定した事を特徴とする。
【０００７】
請求項３に係る発明では、前記圧送便器は、設置床面との間にパン状の底板を有し、前記排出管継手が前記底板を貫通して固定された事を特徴とする。
【発明の効果】
【０００８】
本発明の圧送便器は、水洗式の大便器と、大便器から流入した排水を圧送手段によって加圧排出する排水圧送装置を有する。前記加圧排出された排水は、上流側一端を圧送手段に接続した排出管を通過し、さらに、前記排出管の下流側一端に連結された外部の排水管を経て下水へと搬送されるものである。本発明の圧送便器が備えた前記排出管と接続する外部の排水管は、設置される空間内の床上をフレキシブルに敷設され、前記空間の壁，床，天井のいずれかを貫通し、前記空間の外部にある下水管などの下水設備と接続されるものである。
【０００９】
本発明においては、前記排出管と外部の排水管とを接続する排出管継手が底部に固定支持され、前記排出管継手を設置床面の上方の空間に望ませたので、前記外部の排水管を床上を略水平方向に展開でき、目的の前記貫通箇所へと敷設する事が容易であり、設置空間内で配管作業を行える。
さらに、本圧送便器を任意の向きに設置した場合、前記排出管継手が略水平方向の回動構造を有するので、接続した前記外部の排水管の敷設方向の自由度が高く、前記貫通箇所まで任意の配管経路を設定でき、追加接続部材を用いずに最短直線距離での配管も可能である。また、本圧送便器の移動に対して追随して前記排出管継手が略水平方向に回動するので、前記排出管と前記外部の排水管との間の回転方向の拘束力を低減し、前記外部の排水管に無理な曲げ応力を生じさせないので、移動作業がスムーズに行え，破損，漏水の危険もなく安全である。
またさらに、前記排出管継手が本圧送便器の側方または上方に突出しない構造であって、接続部分が露見せず容易に扱えない場所にあるので、不意に前記接続を解除される事がなく安全である。
【００１０】
本圧送便器の好ましい態様としては、前記排出管継手が、上流側の部材と下流側の部材とに分割可能であって、前記上流側部材と下流側部材とは勘合、シールするように接続され、前記勘合シール部分を摺動面として略鉛直な勘入方向を軸とした略水平方向の回動を可能とし、前記上流側部材が固定された構造であってよく、本圧送便器の動きに対して、前記上流側部材と接続した前記排出管は本圧送便器一体で拘束され、前記下流側部材と接続した外部の排水管は本圧送便器に対して略水平方向の回転自由度を確保するものである。
また、本圧送便器の好ましい態様としては、前記外部の排水管が、設置空間の壁，床，天井のいずれかを貫通する貫通箇所において、回動可能なように固定され、前記排出管継手と同様の構造を有していてよく、この場合、配管の自由度をさらに高め、本圧送便器の移動範囲をさらに広げる事ができる。
【００１１】
請求項２記載の発明は、請求項１に記載の発明の実施形態として用いることができる発明であって、前記圧送便器において、前記洗浄水噴出手段と接続し、洗浄水を供給する供給管と、該供給管と外部の給水管とを接続する供給管継手と、該供給管と外部の給水管とを接続する供給管継手と、を備えてなり、前記排出管継手と前記供給管継手とを異なる面上に固定した事を特徴とする。
【００１２】
本発明の圧送便器は、前記請求項１の排出管継手と同様に、前記供給管継手を本圧送便器の下部に固定し、略水平方向に回動可能な構造としたものであり、前記外部の排水管と給水管とを同一配管経路にて設置空間内に併設し得る。また、本発明の圧送便器の設置、移動等に際し、前記外部の排水管と給水管は同様に本圧送便器と連動した動きをし得る。
またさらに、本発明の圧送便器は、前記供給管継手と排出管継手とを異なる面上に固定するので、本圧送便器の設置、移動等に際し、前記外部の給水管と排水管とは干渉することなく配管する事が容易である。
本圧送便器の好ましい態様としては、前記供給管継手が、前記排出管継手よりも上方に固定してよく、例えば、万一前記排出管継手にて排水の漏出があった場合や、解体作業等で接続を解除した場合、前記漏水が前記供給管継手や外部の給水管等、洗浄水の供給経路に付着、浸透する恐れを排し、安全衛生上支障のないものとする。また、前記課題に対しては、前記供給管継手と排出管継手とを一定距離離して固定することも有効な手段である。  
【００１３】
請求項３記載の発明は、請求項１または２に記載の発明の実施形態として用いることができる発明であって、前記圧送便器は、設置床面との間にパン状の底板を有し、前記排出管継手が前記底板を貫通して固定された事を特徴とする。
【００１４】
本発明の圧送便器は前記排出管継手は前記底板の剛性をもって強固に固定される。
本圧送便器の好ましい態様としては、前記底板にある前記排出管継手の貫通部分は前記排出管継手との隙間を無くすように水密にシールされるものであってよく、例えば、前記底板上方に備えられた、前記大便器、排水圧送装置、排出管、供給管等、給水及び排水に関わる部分から万一漏出があった場合、前記底板は有効にこれを受容し、漏水による設置空間への被害の拡大を防止する。またこの場合、前記底板に前記漏水を検知する漏水検知手段を有してよく、早期の内に漏水を検知して居住者や管理者に異常認知させるものであって、さらに安全である。
【００１５】
また、その他の本圧送便器の好ましい態様としては、外装材で周囲を被覆して、内部の前記排出管、接続部分や電装部品等が露出しないようにしたものである。
また、本圧送便器の好ましい態様としては、脚部にキャスターを設けて移動容易なように構成したものである。また、脚部に高さを調整するアジャスターを設け、脇に設置したベッドとの高低差を無くして移乗性の向上を図ったり、また設置床面の凹凸に対処して設置レベルの水平を保持するようにしたものである。
【発明を実施するための最良の形態】
【００１６】
以下、本発明の実施形態を図面に沿って説明していく。図１は、本発明の圧送便器の第一の実施形態であり、圧送便器とこれに接続する配管の設置構造を示す。床面に設置された圧送便器１は、前方に大便器３、後方に排水圧送装置２が配置され、可撓性を有し口径Φ８からΦ３０ｍｍ程度の排水管５１７と給水管７０４の一端を圧送便器１の下部に備えられた図示されない継手とそれぞれ接続される。圧送便器１の下部側方から延設された排水管５１７と給水管７０４は、床面上に同一の経路で敷設され、床面に固定、貫通した排水管継手５２２と給水管継手７０５にそれぞれ接続され、図示されない下水本管と給水本管にそれぞれ連通する。圧送便器１は、周囲を外装材９で被覆している。また、大便器３は、ボウル３００と、上面の便座２００と、上部後方の背もたれ８０１と、右側方のアームレスト８０２と、前方下部に高さ調整可能な２本の脚部２０２を備える。また、排水管５１７と給水管７０４とは前記床上に敷設された部分が束ねられていてよく、さらに周囲に断熱、保護用カバーを施してもよい。
排水管５１７と給水管７０４の圧送便器１への取付け方向は、図１に示す方向に限定されず、圧送便器１を中心に略水平に３６０度の範囲で取付けが可能である。また、排水管５１７と給水管７０４は圧送便器１と排水管継手５２２と給水管継手７０５と回動自在に接続され、さらに可撓性の材料を用いたので、排水管継手５２２と給水管継手７０５を中心とした管長を半径とする範囲内のほぼ全域において、圧送便器１の移動が可能であって、居室内の清掃時や未使用時の片付けの際等、高い頻度で移動される場合にも容易に対応できる。圧送便器１の下部にある排水管５１７と給水管７０４の接続部は容易に視認できない位置に備えられ、安全に保持されている。
【００１７】
図２は、本発明の圧送便器の第二の実施形態であり、圧送便器の詳細構造を示す。圧送便器１は、排水圧送装置２の側面に開口した流入口５０５に大便器３の排水口３０１が勘入、接続され、架台２０１に支持されて床４上に設置されている。排水圧送装置２は、排水圧送室５００、圧送手段５０１、制御部６００を有する。大便器３は、陶器又は樹脂製のボウル３００と供給管７００を連結した吐水口７０１が備えられる。
【００１８】
大便器３は、トラップ状の搬送路３０２を備える。また、排水口３０１は、排水圧送室５００の側壁にある流入口５０５に接続される。排水圧送室５００は、流入口５０５と、圧力検知部５０２と、を内部に備えている。圧送手段５０１は、上方に吸引口を有するポンプ５１１と、ポンプ５１１の下部にポンプ駆動用のモーター５１２を備え、ポンプ５１１の出口に排出管５１３を接続している。
【００１９】
架台２０１に固定された底板９００は、パン状で、二段の水平面を有し、上段側水平面９０１と下段側水平面９０２が下段側水平面９０２に備えられた漏水検知センサー６０２に指向する下降勾配を有する。下段側水平面９０２を排出管継手５１６が貫通し、上段側水平面９０１を供給管継手７０３が貫通し、それぞれ固定される。排出管継手５１６には上流側に排出管５１３、下流側に排水管５１７が接続されている。また、供給管継手７０３には上流側に給水管７０４、下流側に供給管７００が接続されている。排出管継手５１６は、上流側部材５１４と下流側部材５１５とに分割され、上流側部材５１４が下段側水平面９０２に固定され、下流側部材５１５は上流側部材５１４の下方から上方に勘入され、シールされ、略水平方向に回動する。供給管継手７０３も排出管継手５１６と同様に上下に分割され、略水平方向の回動構造を有する。
排水管５１７と給水管７０４は、可撓性を有し口径Φ８からΦ３０ｍｍ程度とし、圧送便器１の下方の床上空間において干渉する事なく配置され、移動や、配管の接続や撤去の作業も容易に行える。
【００２０】
制御部６００は、洗浄スイッチ６０１と、漏水検知センサー６０２と、モーター５１２と、圧力検知部５０２と、吐水口７０１に接続される電磁弁７０２と、電源と、が電気的に接続される構成である。なお、圧力検知部５０２としては、圧電センサーや、歪みセンサー、ストロークセンサーを用いることができる。
【００２１】
本実施形態における圧送便器の動作を図２を用いて説明する。洗浄スイッチ６０１を操作すると、信号を受けた制御部６００が、まず電磁弁７０２を起動する。電磁弁７０２が開くと洗浄水の供給源より所定流量で所定水量の洗浄水Ｄが供給され、吐水口７０１からボウル３００の内周壁面に沿って吐水された洗浄水はボウル３００の内周壁面を洗いつつ、溜水Ａの水位を上昇させる。次いで溜水Ａが所定の水位に達すると、溜水Ａは搬送路３０２を経て排水口３０１から排出され排水圧送室５００内に流入する。次いで、排水圧送室５００内の排水Ｂの水位が上昇し、圧力検知部５０２が所定の水位に達した事を検知すると、制御部６００がモーター５１２を起動してポンプ５１１が駆動し、排水Ｂをポンプ作用により排出管５１３、排水管５１７を経て図示されない下水管へと圧送する。尚、排出管５１３と排水管５１７はポンプ５１１の圧送作用により、小口径（Φ８からΦ３０ｍｍ程度）とできる。
【００２２】
パン状の底板９００は、架台２０１に周囲を固定され大きな剛性を有するので、排出管継手５１６と供給管継手７０３の固定構造は強固であり、直接的または間接的に外的な荷重負荷が作用した場合でも該固定部に関わる部位に対して荷重による応力が波及する事がなく、損傷、漏水等の異常を来す恐れがない。
また、万一、底板９００よりも上方の給水、排水に関わる部材から微量の漏水が生じた場合、底板９００のパン状構造が直ちに設置床上を浸水する事を防止する。例えば、万一供給管継手７０３部分から微量の漏水があった場合、漏水は上段側水平面９０１上を下段側水平面９０２へと速やかに流下し、漏水検知センサー６０２に達すると、漏水検知センサー６０２の検知信号を受けた制御部６００が電磁弁７０２と、図示されない洗浄水の供給源と供給管継手７０３との間に備えた電磁弁を閉じ、図示されない報知手段によって使用者、管理者等に報知するので、漏水を放置する事なく早期に対処する事ができる。
【００２３】
図３は、本発明の圧送便器の第三の実施形態であり、排出管継手の詳細構造を示す。排出管継手５１６が、上流側部材５１４と下流側部材５１５とに分割可能であって、上流側部材５１４と下流側部材５１５とは勘合、シールするように接続され、該勘合シール部分を摺動面として略鉛直な勘入方向の回動軸５２４を軸とした略水平方向の回動を可能とし、上流側部材５１４が底板９００に固定された構造を有する。
排出管継手５１６の固定構造を以下に説明すると、まず排出管継手５１６を上流側部材５１４とエルボ状の下流側部材５１５を上下に分割する。上流側部材５１４の固定は、まず底板９００の開口部９０３に下方から貫通挿入してフランジ５２５を開口部９０３の下面に当接させる。次いで、フランジナット５１９を、フランジナット５１９の下面に当接したドーナツ状のシール材５２１とともに上流側部材５１４の外側に通し、開口部９０３をフランジナット５１９とフランジ５２５とで挟み込んだ状態でフランジナット５１９を絞め込む。シール材５２１は開口部９０３の隙間を埋めて水密性を確保するまで圧縮され、上流側部材５１４は開口部９０３に強固に固定される。次に、下流側部材５１５は、上流側部材５１４の下方から内部に勘入されると同時に、二本のＯリング５２３により水密性確保する。この際、下流側部材５１５に排水管５１７が予め接続されていてもよい。次いで、スナップリテーナ５１８を上流側部材５１４と下流側部材５１５とが当接した凸部分５２６を側方から咥え込むように係合する。
さらに、排出管５１３との接続は、排出管５１３がＥＰＤＭ等の展伸性に優れた材料からできており、排出管５１３の端部を広げつつ上流側部材５１４の上方から被せる。次いで、ホースバンド５２０を外側から絞め込んでシール、固定する。下流側部材５１５と排水管５１７との接続も同様に行われるものである。
これによれば、前記排出管継手は、固定、接続、接続ロック、接続ロック解除、シール、回転の機能を兼ね備え、コンパクトに実現できる。
【００２４】
上記の方法にて設置された排出管継手５１６は、上流側部材５１４を固定され、下流側部材５１５が回動軸５２４を中心に略水平方向に摺動、回動する。本圧送便器を移動した場合、排出管継手５１６は固定され従動するが、下流側部材５１５は回動方向が拘束されないので、接続された排水管５１７と共に向きを変えて捻じり力を緩和する。即ち、本圧送便器を動かす際に無理に力を要さずに楽に作業を行え、移動範囲も広く取る事ができる。
【００２５】
図４は、本発明の圧送便器の第四の実施形態の設置状態を示し、さらに移動時の排水管の動作状態を示す。本圧送便器は寝室に置かれたベッド６の脇に設置され、使用時は圧送便器１１の位置に置かれ、その他不要の場合は圧送便器１２，１３の方向にまで移動もできる。排水管５１７１，５１７２，５１７３は、それぞれ上流側の一端が圧送便器１１、１２，１３に接続され、またいずれも下流側の一端を排水管継手５２２に接続された状態で置かれる。排水管継手５２２は、設置空間の屋外に面した壁面５Ａの下部を貫通し、固定され、屋内側の排水管５１７１，５１７２，５１７３が接続される部材が略水平方向に回動可能な構造である。さらに排水管継手５２２を介して接続された屋外側の排水管５１７４は、一旦直下の地中に埋設され、地中にて下水管８と接続した排水桝７に接続される。
【００２６】
通常時、圧送便器１１は使用する際に移乗し易い様に、また他の作業の際に邪魔にならない様にベッド６の後方脇に置かれている。圧送便器１１はベッド６からの移乗性を考慮してベッド６と同レベルに高さ調整がなされている。排水管５１７１は、圧送便器１１と排水管継手５２２との間の区間においてベッド６の下方空間を配管スペースとしているので、外観上露出せずに違和感がなく、また躓き等の事故も防止できる。
圧送便器１１は、壁面５Ａと壁面５Ｂと境界５Ｃ（排水管長を半径とし、排水管継手５２２を中心とした円弧）とで囲われた範囲においてほぼ移動可能である。移動時、圧送便器１２，１３の方向に動かして、清掃や、ベッドサイドでの介護作業などのスペースを容易に確保し、ベッド６の下の配管スペースを利用する事で配管が前記作業の障害にならない様にした。
尚、本実施形態においては、図示されない給水管が排水管と同様の構造を有し、同様の経路にて配管されるものであってもよい。また、排水管継手５２２は天井面に設けられていてもよく、天井裏にある既存の排水管に容易に合流させる事も可能である。また、排水管５１７１，５１７２，５１７３や給水管の配管材として可撓性を有する物を適宜活用でき、さらに本発明の目的とする効果が高められる。
また、図５のように排水管継手５２２から排水管５１７５が排水枡７まで下方に延びて、サイホン作用が発生する場合は、封水機能を有する溜水Ａがそのサイホン作用によって排出されないように排出管５１３に空気を吸引する通気弁５５０を設けてもよい。通気弁５５０は、制御部６００（ポンプ５１１の駆動制御も行う）によって開閉される電磁式の弁とする。
ポンプ５１１駆動時、すなわち排出管５１３または排水管５１７、５１７５が正圧の時は通気弁５５０を閉とし、ポンプ５１１停止時、すなわち排水管５１７５でサイホンが発生し排出管５１３または排水管５１７が負圧の時は通気弁５５０を開とする。この動作により、ポンプ５１１駆動時に通気弁５５０から汚水が噴出することはなく、ポンプ５１１停止時に、サイホンが発生し排出管５１３または排水管５１７が負圧になっても通気弁５５０から空気が導入され、サイホン作用を遮断できるため、通気弁５５０より上流側にある溜水Ａを保持できる。封水機能を排水圧送室５００内の排水Ｂとする場合も、上記と同様の構造とし、排水Ｂを保持することができる。
なお、通気弁５５０はポンプ５１１より下流の排水経路に設けた圧力センサと連動させ、正圧で閉、負圧で開としてもよい。また、通気弁５５０の配置は図５の破線で示すように排出管継手５１６または排水管５１７の管路途中または排水管継手５２２に設けてもよい。
【図面の簡単な説明】
【００２７】
【図１】本発明の圧送便器の第一の実施形態における全体図（斜視図）。
【図２】本発明の圧送便器の第二の実施形態における全体の構造図（横断面図）。
【図３】本発明の圧送便器の第三の実施形態における排出管継手の構造図（横断面図）。
【図４】本発明の圧送便器の第四の実施形態における設置状態（移動状態）を表す平面図。
【図５】本発明の圧送装置で通気弁を設けた実施形態の概念図。
【符号の説明】
【００２８】
１，１１，１２，１３  圧送便器
２  排水圧送装置
３  大便器
４  床
５Ａ，５Ｂ  壁面
５Ｃ  境界
６  ベッド
７  排水枡
８  下水管
９  外装材
２００  便座
２０１  架台
２０２  脚部
３００  ボウル
３０１  排水口
３０２  搬送路
５００  排水圧送室
５０１  圧送手段
５０２  圧力検知部
５０５  流入口
５１１  ポンプ
５１２  モーター
５１３  排出管
５１４  上流側部材
５１５  下流側部材
５１６  排出管継手
５１７，５１７１，５１７２，５１７３，５１７４，５１７５  排水管
５１８  スナップリテーナ
５１９  フランジナット
５２０  ホースバンド
５２１  シール材
５２２  排水管継手
５２３  Ｏリング
５２４  回動軸
５２５  フランジ
５２６  凸部
５５０  通気弁
６００  制御部
６０１  洗浄スイッチ
６０２  漏水検知センサー
７００  供給管
７０１  吐水口
７０２  電磁弁
７０３  供給管継手
７０４  給水管
７０５  給水管継手
８０１  背もたれ
８０２  アームレスト
９００  底板
９０１  上段側水平面
９０２  下段側水平面
９０３  開口部
Ａ  溜水
Ｂ  排水
Ｃ  固形汚物
Ｄ  洗浄水
【図１】
2004308404.tif 000003
【図２】
2004308404.tif 000004
【図３】
2004308404.tif 000005
【図４】
2004308404.tif 000006
【図５】
2004308404.tif 000007